(57)【特許請求の範囲】
【請求項１】
有色の内側層と、有色透明または半透明の中間層と、有色または無色且つ透明または半透明の外側層とからなる三層成形容器であって、前記内側層の一部が前記中間層から露出し、露出した前記内側層の一部の外周面と前記中間層の外周面とは連続的に形成され、前記外側層を通じて観察し得るよう構成したことを特徴とする三層成形容器。
【発明の詳細な説明】
【０００１】
【発明の属する技術分野】
本発明は樹脂製の容器に関するものであって、特に透明または半透明の外側層を有する三層成形容器に関するものである。
【０００２】
【従来の技術】
従来から実開昭52-159860 、実開昭58-38539号公報等に示されるように、容器、キャップなどを複数の層にて構成し、樹脂または金属等の内側層に透明な樹脂からなる外側層を被覆することが行われている。これにより視覚的に深みを増し、また肉厚を厚くして重厚感を持たせる効果を有している。また更なる視覚的効果を有するものとして、実開昭54-42767号公報に示されるように、外側層の透明な樹脂にアルミ粉を混入したものがある。
【０００３】
また、容器等を三層に形成し、中間層に金属粉を混入したものもある。これによって容器等の比重を増すことができ、手に取った際の重厚感、高級感を得ることができる。
【０００４】
【発明が解決しようとする課題】
本発明は、上記従来の二層、三層構造の容器等に対し、外観上更に新奇な効果を有する三層成形容器を提供することを目的としている。
【０００５】
【課題を解決するための手段】
上記課題を解決するために、本発明に係る三層成形容器は、有色の内側層と、有色透明または半透明の中間層と、有色または無色且つ透明または半透明の外側層とからなる三層成形容器であって、前記内側層の一部が前記中間層から露出し、露出した前記内側層の一部の外周面と前記中間層の外周面とは連続的に形成され、前記外側層を通じて観察し得るよう構成したことを特徴とする。
【０００６】
【発明の実施の形態】
［第一実施形態］本発明に係る三層成形容器の第一の実施形態を図を用いて説明する。図１は本実施形態に係る三層成形容器の外観斜視図、図２は三層成形容器の側面図であって（ａ）は断面図、（ｂ）は外観図である。
【０００７】
図１に示すように、三層成形容器Ａの容器本体は内側層１、中間層２、外側層３から構成されている。これらの各層はインサート法等により隙間無く一体に形成されている。
【０００８】
内側層１は有色の樹脂にて形成されており、三層成形容器Ａの上部においては内側層１が突出しており、その外面にはネジ１ａが形成されて図示しないキャップを螺合し得るよう構成されている。
【０００９】
また図２（ａ）に示すように、内側層１の側面には厚肉部１ｂと薄肉部１ｃとが形成されている。厚肉部１ｂは薄肉部１ｃから段状に隆起して境界４を形成し、該境界４は容器本体に対し所定の角度を以て傾斜するよう構成されている。
【００１０】
中間層２は内側層１と異なる色の樹脂にて形成されており、内側層１の薄肉部１ｃの外周を覆うように形成されている。中間層２の外周面と厚肉部１ｂの外周面とは連続的に形成され、境界４において接合している。
【００１１】
外側層３は無色且つ透明な樹脂にて形成されており、内側層１の厚肉部１ｂ及び中間層２の外周を覆うように形成されている。すなわち図２（ｂ）に示すように外側層３を通じて内部の内側層１及び中間層２を見ることができ、境界４を境に内側層１の色と中間層２の色の二色に分かれて見ることができる。
【００１２】
上記の如く透明な外側層３の内側において内側層１が見える領域と中間層２が見える領域とを形成したことにより、二色の色彩の変化を有しつつ、重厚感、及び外観上の深みを得ることができる。なお外側層３を無色透明にて例示したが、内部の内側層１及び中間層２を透視できる程度に着色した有色透明な樹脂にて形成することでも良い。
【００１３】
［第二実施形態］本発明に係る三層成形容器の第二の実施形態を図を用いて説明する。図３は本実施形態に係る三層成形容器の側面図であって（ａ）は断面図、（ｂ）は外観図である。上記第一実施形態と説明の重複する部分については、同一の符号を付して説明を省略する。
【００１４】
図３に示すように、本実施形態に係る三層成形容器Ｂは、内側層５、中間層６、外側層３から構成されている。上記第一実施形態と同様、三層成形容器Ｂの上部においては内側層５が突出し、その外側にはネジ５ａが形成されて図示しないキャップを螺合し得るよう構成されている。
【００１５】
内側層５は有色の樹脂にて形成されており、その外周には複数の隆起部５ｂが形成されている。本実施形態において隆起部５ｂは周期的に配列された円形を成し、いわゆる水玉模様を構成している。
【００１６】
また中間層６は内側層５と異なる色の樹脂にて形成されており、内側層５の外周を覆うように形成されている。ここで内側層５の隆起部５ｂは中間層６から露出し、隆起部５ｂの外周面と中間層６の外周面とは連続的に形成されている。
【００１７】
上記の如く透明な外側層３の内側において内側層５が中間層６から部分的に露出するよう構成したことにより、内側層５の色と中間層６の色とによる模様を形成することができ、かつ重厚感、及び外観上の深みを得ることができる。
【００１８】
なお、隆起部５ｂによる模様を水玉模様に構成して例示したが、この隆起部５ｂの形状を変更することにより任意の模様、モチーフなどを現すことができる。
【００１９】
また、上記第一及び第二実施形態においてはいずれも内側層の隆起部分が中間層から露出するよう構成して示したが、参考例としてこの隆起部分の外周に中間層が薄く被るよう構成することでも良い。このように構成することにより、中間層の中に内側層の色によって模様等がぼんやりと見える効果を得ることができる。
【００２０】
［参考例］次に、本発明に係る三層成形容器の参考例を図を用いて説明する。図４は本実施形態に係る三層成形容器の断面図である。
【００２１】
図４に示すように、本参考例に係る三層成形容器Ｃは、内側層７、中間層８、外側層９から構成されている。上記第一及び第二実施形態と同様、三層成形容器Ｃの上部においては内側層７が突出し、その外側にはネジ７ａが形成されて図示しないキャップを螺合し得るよう構成されている。
【００２２】
内側層７は有色の樹脂にて形成されており、ネジ７ａの下方にフランジ状の肩部７ｂが形成されている。肩部７ｂの外周面は外側層９の外周面と連続しており、中間層８、外側層９の断面を隠蔽する機能を有している。
【００２３】
中間層８は有色且つ透明または半透明の樹脂にて内側層７の外周に形成されている。中間層８の側面は厚肉部８ａ及び薄肉部８ｂを有し、厚肉部８ａから薄肉部８ｂへの厚みはなだらかに変化するよう形成されている。
【００２４】
外側層９は無色且つ透明な樹脂にて中間層８の外周に形成されており、三層成形容器Ｃの外殻を構成している。なお、中間層８の肉厚が変化していることにより、これに対応して外側層９の肉厚も変化している。
【００２５】
上記の如く透明な外側層９の内側において有色且つ透明または半透明の中間層８の厚みを変化させたことにより、厚肉部８ａにおいては中間層８の色が濃くなり、薄肉部８ｂにおいては中間層８の色が薄くなって内側層７の色が透けて見えることとなる。そして厚肉部８ａから薄肉部８ｂへの肉厚の変化がなだらかであることから、中間層８の色を基調として内側層７の色がグラデーションを成して観察されるという効果を有している。
【００２６】
また参考例においては外側層９を無色透明に形成して例示したが、中間層８の肉厚の変化に従って外側層９の肉厚も変化していることから、外側層９に有色且つ透明または半透明の樹脂を使用することにより、外側層９の色を基調として中間層８の色をグラデーションを成して観察させることができる。
【００２７】
【発明の効果】
上記説明した如く本発明に係る三層成形容器は、内側層の一部を中間層から露出するように構成した場合には、中間層の色と内側層の色の二色による立体感のある多様な模様を出すことができる。
【００２８】
また厚肉であることから質感及び重厚感を有し、また外側層が透明であることから外観的に深みを帯びる効果を有している。
【図面の簡単な説明】
【図１】  第一実施形態に係る三層成形容器の外観斜視図である。
【図２】  三層成形容器の側面図であって（ａ）は断面図、（ｂ）は外観図である。
【図３】  第二実施形態に係る三層成形容器の側面図であって（ａ）は断面図、（ｂ）は外観図である。
【図４】  参考例に係る三層成形容器の断面図である。
【符号の説明】
Ａ、Ｂ、Ｃ …三層成形容器
１、５、７ …内側層
１ａ、５ａ、７ａ …ネジ
１ｂ、８ａ …厚肉部
１ｃ、８ｂ …薄肉部
２、６、８ …中間層
３、９ …外側層
４ …境界
５ｂ …隆起部
７ｂ …肩部
【図１】
0003847922.tif 000002
【図２】
0003847922.tif 000003
【図３】
0003847922.tif 000004
【図４】
0003847922.tif 000005